(57)【特許請求の範囲】
【請求項１】
注出部がもぎり栓により密封されるキャップ本体と、キャップ本体にヒンジを介して開閉自在に取り付けられるカバー体とからなる、もぎり栓付きカバーキャップであって、
キャップ本体は、容器の口部に装着される装着部と、装着部内縁から内方に延設され口部の開口を封鎖する上壁と、上壁を貫通して形成される注出部と、注出部の先端部に破断可能に連設されるもぎり栓とを備え、
カバー体は、少なくとも、もぎり栓を保護する覆い部材と、もぎり栓の上方を覆う改ざん防止部材とを備え、
改ざん防止部材は、カバー体の開放にともなってカバー体から分離されることを特徴とするもぎり栓付きカバーキャップ。
【請求項２】
カバー体の覆い部材は、もぎり栓の側面を包囲する側周壁であることを特徴とする請求項１に記載のもぎり栓付きカバーキャップ。
【請求項３】
改ざん防止部材は、カバー体の天面に、破断可能に連設される改ざん防止板と、改ざん防止板から垂下される掛止部とを有し、
キャップ本体は、カバー体を閉じたときに、改ざん防止部材の掛止部が掛止される被掛止部を有することを特徴とする請求項１または２に記載のもぎり栓付きカバーキャップ。
【請求項４】
もぎり栓は、側方に張り出して形成される摘み部を有し、
キャップ本体の被掛止部は、もぎり栓の摘み部と平面視で直交する位置に形成される掛止凸部であり、
改ざん防止部材の掛止部は、もぎり栓の掛止凸部と対応する位置に爪部を有する掛止羽であることを特徴とする請求項３に記載のもぎり栓付きカバーキャップ。
【発明の詳細な説明】
【技術分野】
【０００１】
本発明は、使い切り容器などに用いるカバーキャップに関し、とくに、注出部がもぎり栓により密封されるもぎり栓付きカバーキャップに関するものである。
【背景技術】
【０００２】
化粧液などにおいては、外気に触れると変質し易いために比較的短期間に使い終ることを必要とするものがあり、このような内容液が充填された容器は、外気が容器体内へ入ることを防止することが望まれ、さらに、消費者がその容器購入後は、密封保管することが容易であることが望ましい。
このような封緘容器に装着するキャップとして、容器の口部に嵌合させたキャップの頂壁からノズルなどの注出部を起立するとともに、注出部上端の注出孔を密閉する摘み板を破断可能な薄肉部を介して注出部上端から起立したもぎり栓を形成し、使用時には、摘み板を指で捻ることにより、もぎり栓を破断して注出孔を開口するものは、従来から知られている（例えば、特許文献１参照）。
【０００３】
また、トイレの洗浄剤や配水管の洗浄剤や洗濯槽の洗浄剤など、塩素系の内容液が充填された容器は、開栓時に内容液が飛散するリスク低減するためや、使用後、手に内容液が付着するリスクを低減するために、もぎり栓付きの使い切りの容器とすることが好ましい。
【先行技術文献】
【特許文献】
【０００４】
【特許文献１】特開平１１−１３０１２０号公報
【発明の概要】
【発明が解決しようとする課題】
【０００５】
上記特許文献１記載の封緘容器では、もぎり栓は、むき出し状態であるために、封緘容器の流通時に、もぎり栓が不用意に折れないように、個別に仕切がある箱に収納するなどの工夫が必要になるという問題があった。
【０００６】
本発明は、上記問題を解決することを課題とし、注出部がもぎり栓により密封されるカバーキャップが装着された容器を輸送中などに、もぎり栓が外力により折れることを防止できる、もぎり栓付きカバーキャップを提供することを目的とする。
【課題を解決するための手段】
【０００７】
本発明は、上記の課題を解決するため、もぎり栓付きカバーキャップとして、注出部がもぎり栓により密封されるキャップ本体と、キャップ本体にヒンジを介して開閉自在に取り付けられるカバー体とからなる、もぎり栓付きカバーキャップであって、キャップ本体は、容器の口部に装着される装着部と、装着部内縁から内方に延設され口部の開口を封鎖する上壁と、上壁を貫通して形成される注出部と、注出部の先端部に破断可能に連設されるもぎり栓とを備え、カバー体は、少なくとも、もぎり栓を保護する覆い部材と、もぎり栓の上方を覆う改ざん防止部材とを備え、改ざん防止部材は、カバー体の開放にともなってカバー体から分離されることを特徴とする構成を採用する。
【０００８】
カバー体の具体的実施形態として、カバー体の覆い部材は、もぎり栓の側面を包囲する側周壁であることを特徴とする構成を採用する。
また、改ざん防止部材の具体的実施形態として、改ざん防止部材は、カバー体の天面に、破断可能に連設される改ざん防止板と、改ざん防止板から垂下される掛止部とを有し、キャップ本体は、カバー体を閉じたときに、改ざん防止部材の掛止部が掛止される被掛止部を有することを特徴とする構成を採用し、さらに、もぎり栓は、側方に張り出して形成される摘み部を有し、キャップ本体の被掛止部は、もぎり栓の摘み部と平面視で直交する位置に形成される掛止凸部であり、改ざん防止部材の掛止部は、もぎり栓の掛止凸部と対応する位置に爪部を有する掛止羽であることを特徴とする構成を採用する。
【発明の効果】
【０００９】
本発明のもぎり栓付きカバーキャップは、上記構成を採用することにより、もぎり栓付きカバーキャップが装着された容器は、流通時に個別に仕切がある箱に収納しなくても、もぎり栓が折れることを防止できるだけでなく、もぎり栓付きカバーキャップの成形後、カバー体を閉めることにより、もぎり栓付きカバーキャップの納品時に、もぎり栓が折れるのを防止でき、カバーキャップをバラ詰めで納品することが可能になるとともに、改ざん防止部材をカバー体の天面に設けることにより、不正にカバー体を開閉すると、改ざん防止部材がカバー体から脱落し、再びカバー体を閉めても、カバー体を不正に開けたことが簡単に視認できる。
【図面の簡単な説明】
【００１０】
【図１】本発明の実施例であるカバーキャップの閉じた状態を示す側面断面図である。
【図２】本発明の実施例であるカバーキャップの成形時の状態を示す図であり、（ａ）は上面図、（ｂ）は側面半断面図である。
【図３】本発明の実施例であるカバーキャップの閉じた状態を示す図であり、（ａ）は上面図、（ｂ）は正面半断面図である。
【図４】本発明の実施例であるカバーキャップのセット状態を示す図であり、（ａ）は正面半断面図、（ｂ）は側面断面図である。
【図５】本発明の実施例であるカバーキャップの開いた状態を示す側面断面図である。
【図６】本発明の実施例であるカバーキャップの使用状態を示す側面断面図である。
【図７】本発明の実施例であるカバーキャップを一度開いて再び閉じた状態を示す正面半断面図である。
【発明を実施するための形態】
【００１１】
次に、本発明のカバーキャップについて、実施例を示した図面を参照して説明する。
【実施例】
【００１２】
図１において、Ａは容器Ｄに装着されるキャップ本体、Ｂはキャップ本体ＡにヒンジＣを介して開閉可能に取り付けられるカバー体である。
容器Ｄは、口部１を有する容器であり、口部１の外周面には、嵌合突条２が設けられている。
【００１３】
キャップ本体Ａは、図１および２に示すように、容器Ｄの口部１に装着される装着部３と、装着部３から内方に延設され口部１の開口を封鎖する上壁４と、上壁４を貫通する注出口の周囲から立設される注出部としてのノズル５とを備えている。
【００１４】
装着部３は、カバー体Ｂと係合するカバー係合部６が周設される基壁７と、基壁７の内周縁から下面に垂設される内筒８と、基壁７の外周縁から垂設される外筒９とから構成されている。
外筒９には、ヒンジＣと反対側の外周上端部に後述するカバー体Ｂの把手部２４と対向する位置に切欠凹部９ａが形成されるとともに、内周下部に容器Ｄの口部１の嵌合突条２と係合する係合突部１０が設けられている。
【００１５】
ノズル５の先端部５ａは、内方に縮径されるとともに、ノズル５の先端部５ａには、破断可能な薄肉部１１を介して、もぎり栓１２が形成されている。
もぎり栓１２は、図２に示すように、ノズル５の先端部５ａから連続するノズル孔１３と、ノズル孔１３を包囲して立設される中空柱状の栓本体１４と、栓本体１４の側方から平面視で１８０°方向（ヒンジＣ側からヒンジＣと反対側方向）に張り出すように形成される板状の摘み部１５とから構成されている。
栓本体１４の外周上端部には、後述する改ざん防止部材Ｅの掛止部としての掛止羽３３が掛止する被掛止部としての掛止凸部１６が形成され、掛止凸部１６は、図２（ａ）に示すように、栓本体１４の平面視で摘み部１５と直交する位置に設けられている。
なお、被掛止部としての掛止凸部１６は、もぎり栓１２に限らず、注出部としてのノズル５の外周に設けられていても構わない。
【００１６】
カバー体Ｂは、図１〜３に示すように、ヒンジＣを介してキャップ本体Ａの外筒９の外周上端に連設され、キャップ本体Ａに対して開閉自在に取着されている。
カバー体Ｂは、閉じた時に、キャップ本体Ａの少なくとも、もぎり栓１２を保護する覆い部材として、ノズル５と、もぎり栓１２の側面を包囲する筒状の側周壁２０と、側周壁２０の天面に設けられ、もぎり栓１２の上方を覆う改ざん防止部材Ｅとから構成されている。
【００１７】
側周壁２０は、図３に示すように、外周面がキャップ本体Ａの外筒９の外周面と同径の大径部２１と、大径部２１から縮径して形成される接続段部２２と、接続段部２２の内側から立設される小径部２３とを備え、接続段部２２は、上面にリング状の平面が形成されている。
【００１８】
側周壁２０は、図２に示すように、ヒンジＣと反対側の大径部２１外周下端部に、平面視で円弧状の把手部２４が設けられている。
さらに、側周壁２０は、大径部２１内周下端部に、キャップ本体Ａのカバー係合部６と係合して閉蓋状態を維持させる基壁係合部２５が周設されている。
【００１９】
改ざん防止部材Ｅは、図２および３に示すように、側周壁２０の小径部２３の内周上端から４本の破断ブリッジ３０を介して連設される改ざん防止板３１と、改ざん防止板３１に形成される喰い切り窓３２の外側から垂下される掛止部としての一対の掛止羽３３とから構成されている。
改ざん防止板３１は、平面視で十字形をなし、カバー体Ｂを閉じた時に、もぎり栓１２の摘み部１５に対向する狭幅部３１ａを、摘み部１５の幅よりも狭く形成し、摘み部１５と直交する広幅部３１ｂを、狭幅部３１ａよりも幅広く形成している。
【００２０】
一対の掛止羽３３は、改ざん防止板３１の広幅部３１ｂから、もぎり栓１２の被掛止部としての掛止凸部１６に向けて垂下され、図３（ｂ）に示すように、掛止羽３３には、もぎり栓１２の掛止凸部１６の下面に掛止する爪部３４が、内側先端部から斜め上方に向かって内向きに設けられている。
【００２１】
次に、本実施形態の使用態様と作用効果について図面を参照しながら説明する。
本実施例のカバーキャップは、図２に示すように、カバー体Ｂが完全に開いた状態で一体成形により製造される。
本実施例では、カバー体Ｂの改ざん防止板３１に喰い切り窓３２を設けることにより、改ざん防止板３１から垂下される掛止羽３３を一体成形することができる。
【００２２】
次に、図２に示す開いた状態から図３に示すようにカバー体Ｂを閉じてカバーキャップをセットする際には、カバー体Ｂの把手部２４を持ってヒンジＣを中心に回動させると、図４に示すように、改ざん防止部材Ｅの掛止羽３３の内側下端部に設けられた爪部３４の下面がキャップ本体Ａのもぎり栓１２の掛止凸部１６に当接し、爪部３４を上方に向けて僅かに変形させながら、掛止凸部１６を乗り越えていく。
この場合には、改ざん防止部材Ｅの改ざん防止板３１がカバー体Ｂから分離されないように、破断ブリッジ３０の破断強度は、掛止羽３３の乗り越え抵抗よりも大きくなるように設定されている。
【００２３】
また、カバー体Ｂを閉じる際に、破断ブリッジ３０が破断しないように、カバー体Ｂの側周壁２０の上端面と改ざん防止板３１の上面（すなわち、カバー体Ｂの天面全体）を押さえて、カバー体Ｂを閉蓋することもできる。
この場合には、破断ブリッジ３０の破断強度は、掛止羽３３の乗り越え抵抗よりも小さく設定することが可能である。
【００２４】
最後は、図３（ｂ）に示すように、掛止羽３３の爪部３４がもぎり栓１２の掛止凸部１６の下面に掛止され、カバー体Ｂの把手部２４が外筒９の上面に当接し、さらに、キャップ本体Ａのカバー係合部６は、カバー体Ｂの基壁係合部２５と係合し、未開封状態として閉じられる。
本実施例のもぎり栓付きカバーキャップは、成形後、カバー体Ｂを閉じることにより、もぎり栓１２を保護しているので、納品の際に、バラ詰めでも、もぎり栓１２が折れたりするのを防止できる。
【００２５】
次に、図１に示すように、カバー体Ｂが閉じた状態のカバーキャップを内容液が充填された容器Ｄの口部１に打栓して装着される。
打栓工程は、装着部３の内筒８と外筒９との間に形成された環状溝に容器Ｄの口部１を当てがい、カバー体Ｂの側周壁２０に形成される接続段部２２の上面から押圧力が加えられ、外筒９の係合突部１０が口部１の嵌合突条２を乗り越えて嵌合し、容器Ｄの口部１が内筒８の外周と外筒９の内周、および基壁７とによって挟持されることで装着される。
なお、本実施例では、内筒８と外筒９との間に形成された環状溝を口部１に嵌合してカバーキャップを容器Ｄに装着しているが、必ずしもこのような手段に限らず、ねじ結合などの他の手段によって装着してもよい。
【００２６】
本実施例のもぎり栓付きカバーキャップが装着された容器においては、カバー体Ｂは、もぎり栓１２の側面を側周壁２０により保護しているので、流通時に、もぎり栓１２が外力を受けて折れ曲がったり、破断したりするのを防止することができる。
また、カバー体Ｂの側周壁２０に形成される接続段部２２は、打栓工程で押圧力を加える押圧部としての利便性を有する。
【００２７】
容器Ｄ内の内容液を使用するにあたり、カバーキャップを最初に開ける際には、図１に示すキャップ本体Ａの外筒９の切欠凹部９ａからカバー体Ｂの把手部２４の下面に手指を掛けて持ち上げ、キャップ本体Ａのカバー係合部６とカバー体Ｂの基壁係合部２５との係合を解除し、ヒンジＣを中心にカバー体Ｂを回動させていく。
すると、改ざん防止部材Ｅの改ざん防止板３１もカバー体Ｂと一緒に持ち上がろうとするが、改ざん防止部材Ｅの掛止羽３３の爪部３４は、もぎり栓１２の掛止凸部１６に掛止しており、破断ブリッジ３０の破断強度は、掛止羽３３の爪部３４の引き上げ抵抗よりも小さく設定されているので、破断ブリッジ３０は、ヒンジＣと反対側方向から順に破断し、最後に、ヒンジＣ側の破断ブリッジ３０も破断され、改ざん防止部材Ｅの改ざん防止板３１をカバー体Ｂから完全に切り離すと、図５に示すように、改ざん防止部材Ｅは、もぎり栓１２の上面に移行した状態になる。
なお、破断ブリッジ３０の破断強度は、もぎり栓１２の薄肉部１１の破断強度よりも小さく設定されているのは、当然のことである。
【００２８】
本実施例のカバーキャップは、未開封状態では、カバー体Ｂの改ざん防止板３１の掛止羽３３が、もぎり栓１２の掛止凸部１６に掛止されているので、未開封状態から、無理にカバー体Ｂを開閉すると、カバー体Ｂの側周壁２０の小径部２３の内周上端と改ざん防止板３１とを連設する破断ブリッジ３０が破断され、図７に示すように、カバー体Ｂを再度閉じても、改ざん防止部材Ｅがカバー体Ｂから脱落しているので、不正に開閉したことが簡単に視認できる。
【００２９】
次に、図５に示す状態から、キャップ本体Ａに形成されるもぎり栓１２の摘み部１５を改ざん防止部材Ｅと一緒に捩るか、または押し倒すことにより、薄肉部１１が破断し、もぎり栓１２をノズル５から取り除き、ノズル５の先端部５ａにノズル孔１３を開口し、ノズル５を開封する。
キャップ本体Ａのノズル５が開封されることにより、容器Ｄを傾けただけで、容易にノズル５から容器Ｄ内の内容液を注出することができる。
【００３０】
本実施例では、カバー体Ｂは、改ざん防止板３１が分離された後は、側周壁２０だけになり、天面が開放された状態となるので、図６に示すように、カバー体Ｂを閉じたままでも、ノズル５からカバー体Ｂの側周壁２０の内周面を介して、いずれの方向にも内容液を注出することができる。
また、カバー体Ｂを閉じたままで内容液を注出した後、ノズル５の先端部５ａ付近から液だれしても、カバー体Ｂの側周壁２０の内周面とキャップ本体Ａの上壁４の上面に留まり、カバーキャップの外に流出するのを防止できる。
もちろん、カバー体Ｂを開けたままノズル５から直接注出することもできる。
【００３１】
本実施例のカバーキャップは、基本的には、内容液を１回で使い切る容器用であるから、容器Ｄから内容液を注出した後は、そのまま、廃棄することができる。
また、容器Ｄは、傾けて内容液をノズル５から注出するものに限らず、容器Ｄをスクイズしてノズル５から内容液を注出するものであっても構わない。
【産業上の利用可能性】
【００３２】
本発明のもぎり栓付きカバーキャップは、カバー体を閉めることによりもぎり栓を保護することができるので、もぎり栓付きカバーキャップを装着した容器を輸送する際に、個別に仕切がある箱に収納しなくても、もぎり栓が不用意に折れるのを防止することができ、とくに、１回使い切りで使用する塩素系の内容液が充填された容器のもぎり栓付きカバーキャップとして好適である。
【符号の説明】
【００３３】
Ａ            キャップ本体
Ｂ            カバー体
Ｃ            ヒンジ
Ｄ            容器
Ｅ            改ざん防止部材
１            口部
２            嵌合突条
３            装着部
４            上壁
５            ノズル（注出部）
５ａ          先端部
６            カバー係合部
７            基壁
８            内筒
９            外筒
９ａ          切欠凹部
１０            係合突部
１１            薄肉部
１２            もぎり栓
１３            ノズル孔
１４            栓本体
１５            摘み部
１６            掛止凸部（被掛止部）
２０            側周壁（覆い部材）
２１            大径部
２２            接続段部
２３            小径部
２４            把手部
２５            基壁係合部
３０            破断ブリッジ
３１            改ざん防止板
３１ａ          狭幅部
３１ｂ          広幅部
３２            喰い切り窓
３３            掛止羽（掛止部）
３４            爪部
【図１】
0006662546.tif 000002
【図２】
0006662546.tif 000003
【図３】
0006662546.tif 000004
【図４】
0006662546.tif 000005
【図５】
0006662546.tif 000006
【図６】
0006662546.tif 000007
【図７】
0006662546.tif 000008